(57)【要約】【課題】食材を分割収容する際に、食材同士の混合を避けることができ、且つ、構造が簡素な容器を提供すること。【解決手段】開口部２ａを有する袋本体２と、開口部３ａを有する少なくとも１つの小袋３と、を備え、袋本体２は、その内周面同士が凹凸嵌合することで該袋本体２の開口部２ａを閉塞させることができるファスナー部４を有し、袋本体２と小袋３とは、袋本体２のファスナー部４の閉塞時に小袋３の開口部３ａが閉塞されるように挟まれることで接続されている。【選択図】図２
2017007688.tif 000002
【特許請求の範囲】
【請求項１】
開口部を有する袋本体と、開口部を有する少なくとも１つの小袋と、を備え、前記袋本体は、その内周面同士が凹凸嵌合することで該袋本体の開口部を閉塞させることができるファスナー部を有し、前記袋本体と前記小袋とは、前記袋本体のファスナー部の閉塞時に前記小袋の開口部が閉塞されるように挟まれることで接続されていることを特徴とする容器。
【請求項２】
前記小袋は、その一部が前記袋本体に固定手段により固定されていることを特徴とする請求項１に記載の容器。
【請求項３】
前記小袋は、その開口部が前記袋本体の開口部と向かい合うように配置されていることを特徴とする請求項１または２に記載の容器。
【請求項４】
前記小袋は、その開口部が前記袋本体の内面に固定されているとともに、その収容部が前記袋本体の開口部から外側に露出しており、該小袋の収容部が前記袋本体の開口側端縁を跨いで外側面方向に折り曲げ可能となっていることを特徴とする請求項３に記載の容器。
【請求項５】
前記容器は、複数の小袋を有していることを特徴とする請求項１ないし４のいずれかに記載の容器。
【発明の詳細な説明】
【技術分野】
【０００１】
本発明は、食材の分割収容と集合が可能な容器に関する。
【背景技術】
【０００２】
異種の食材を分割して収容するために仕切り等を隔てて収容しておき、使用時に仕切りを解除してそれぞれの食材を混合し、調理するための容器がある。その一例として、例えば、特許文献１に示されるように、袋体と、その開口部を開閉するためのジッパーと、袋体の内部を上下複数の収容部に仕切るための仕切り部としてのジッパーと、から構成される食品包装袋が開発されており、各収容部に食材を個別に収容し、各仕切り部を開封することでこれらの食材を袋体内で混合している。
【先行技術文献】
【特許文献】
【０００３】
【特許文献１】特開２０１３−２２７０２８号公報（第８頁、第２図）
【発明の概要】
【発明が解決しようとする課題】
【０００４】
しかしながら、特許文献１の容器にあっては、複数のジッパーにより袋の内部を複数に仕切っているので、袋の開口部から下部の収容部に食材を収容する際には、該食材が上部の収容部を通過しなければならず、例えば、水分を多く含む食材を下部の収容部に収容する場合には、該食材の水分が上部の収容部を通過中に該収容部の壁面に付着することがあり、該収容部の壁面に付着した水分と該収容部に収容される別の食材との混合が起こりうるという問題があった。また、該容器にあっては、開口部以外にも袋の内部にジッパーを設けなければならず、ジッパーが複数となり構造が複雑となるため、製造コストが掛かっていた。
【０００５】
本発明は、このような問題点に着目してなされたもので、食材を分割収容する際に、食材同士の混合を避けることができ、且つ、構造が簡素な容器を提供することを目的とする。
【課題を解決するための手段】
【０００６】
前記課題を解決するために、本発明の容器は、
開口部を有する袋本体と、開口部を有する少なくとも１つの小袋と、を備え、前記袋本体は、その内周面同士が凹凸嵌合することで該袋本体の開口部を閉塞させることができるファスナー部を有し、前記袋本体と前記小袋とは、前記袋本体のファスナー部の閉塞時に前記小袋の開口部が閉塞されるように挟まれることで接続されていることを特徴としている。
この特徴によれば、容器は、別体の袋本体と小袋から構成されており、各食材を個々の袋に投入できるので、食材同士の混合を避けることができるとともに、前記袋本体のファスナー部により袋本体の開口部と小袋の開口部を閉塞させることで、各食材を分割収容した状態にできるので、容器の構造を簡素にすることができる。
【０００７】
前記小袋は、その一部が前記袋本体に固定手段により固定されていることを特徴としている。
この特徴によれば、小袋は、袋本体に固定手段により固定されているので、該袋本体のファスナー部が開封された際に、小袋が脱落することを防ぐことができる。
【０００８】
前記小袋は、その開口部が前記袋本体の開口部と向かい合うように配置されていることを特徴としている。
この特徴によれば、小袋の開口部が袋本体の開口部と向かい合っているので、袋本体のファスナー部を開封することで袋本体の開口部と小袋の開口部とが一括して開封され、分割収容された食材を容易に集合可能な状態にすることができる。
【０００９】
前記小袋は、その開口部が前記袋本体の内面に固定されているとともに、その収容部が前記袋本体の開口部から外側に露出しており、該小袋の収容部が前記袋本体の開口側端縁を跨いで外側面方向に折り曲げ可能となっていることを特徴としている。
この特徴によれば、袋本体の開口部から外側に露出した小袋の収容部を、該袋本体の開口側端縁を跨いで外側面方向に折り曲げることにより、袋本体のファスナー部が開封されている状態でも、小袋と袋本体の収容部を簡易的に分割させることができるので、食材の混合を調整することができる。
【００１０】
前記容器は、複数の小袋を有していることを特徴としている。
この特徴によれば、容器は、複数の小袋を有しているので、該複数の小袋に分割収容された複数種類の食材を袋本体に収容された食材と混合する順番を適宜選択することができる。
【図面の簡単な説明】
【００１１】
【図１】陳列された状態の容器を示す斜視図である。
【図２】展開された状態の容器を示す斜視図である。
【図３】各食材が分割収容された状態の容器を示す側断面図である。
【図４】小袋に食材を投入した状態を示す側断面図である。
【図５】（ａ）は、各食材が集合可能となった状態の容器を示す側断面図であり、（ｂ）は、（ａ）の状態から小袋を倒立させた状態の容器を示す側断面図である。
【発明を実施するための形態】
【００１２】
本発明に係る容器を実施するための形態を実施例に基づいて以下に説明する。
【実施例】
【００１３】
実施例に係る容器につき、図１から図５を参照して説明する。図１に示される容器１は、複数種類の食材を分割して収容しておき、使用時に開封されることで、各食材を当該容器内で混合することができる容器である。
【００１４】
図１に示されるように、本実施例における容器１は、非通水性及び非通気性を備えた合成樹脂材から成る袋本体２及び小袋３，３から主に構成されており、袋本体２及び小袋３，３は、容易に変形させることができる。この容器１は、店舗等で陳列される際に、袋本体２により小袋３，３を巻き込み、図示しないテープ等で仮止めされた状態で陳列されている。
【００１５】
図２に示されるように、容器１は、収容される食材の一例として、袋本体２の収容部２ｂに水分を含んでいる細切りにされたピーマンが収容されており、小袋３，３の収容部３ｂ，３ｂに分割収容時に水分を含む食材との混合を避けたい塩昆布と鰹節がそれぞれ収容されている。尚、収容部と収容される食材の選択はこれに限られず、自由に構成されてもよい。
【００１６】
図１及び図２に示されるように、袋本体２は、開口部２ａと、収容部２ｂと、ファスナー部４を有し、該ファスナー部４により、開口部２ａが開放又は密封状に閉塞され、開口部２ａを閉塞した状態にあっては、前記ピーマンが収容部２ｂに密閉された収容状態となる。
【００１７】
図３に示されるように、ファスナー部４は、袋本体２の開口部２ａの長手方向に沿って袋本体２の内側の一方側の面に設けられた接合部４１と、他方側の面に設けられた接合部４２と、が凹凸嵌合することで閉塞される。
【００１８】
図１及び図２に示されるように、小袋３，３は、開口部３ａ，３ａと収容部３ｂ，３ｂを有する。小袋３，３の開口部３ａ，３ａは、袋本体２の開口部２ａと向かい合い、小袋３，３の収容部３ｂ，３ｂは、袋本体２の内部からファスナー部４を跨いで外側に露出するように配置されている。そのため、ファスナー部４を閉塞させた状態にあっては、小袋３，３の開口部３ａ，３ａ側の端部が該ファスナー部４の接合部４１と接合部４２との間に挟まれるようにして接続された状態になっている。このように、袋本体２の開口部２ａを閉塞した状態にあっては、小袋３，３の開口部３ａ，３ａも同時に閉塞されるため、前記塩昆布と前記鰹節とが収容部３ｂ，３ｂにそれぞれ密閉された収容状態となる。
【００１９】
このように、容器１は、袋本体２のファスナー部４により、袋本体２の開口部２ａと小袋３，３の開口部３ａ，３ａを閉塞させ、収容部２ｂと収容部３ｂ，３ｂを分割収容状態とすることができるので、簡素な構造の容器になっている。尚、小袋の数、形状、配置等は、これに限られず、適宜変更してもよい。
【００２０】
図２に示されるように、小袋３，３は、ファスナー部４の長手方向に沿って重なり合わないように離間して配置されている。そのため、ファスナー部４の接合部４１と接合部４２とに小袋３，３が挟まれた部分が必要以上に厚くならず、凹凸嵌合力が特別強固でないファスナー部４であっても該ファスナー部４の閉塞状態は維持される。尚、小袋３，３は、ファスナー部４の凹凸嵌合力を極力喪失しないように、厚みが薄いシート材で形成されたものであることが望ましい。さらに尚、小袋３，３は、ファスナー部４に挟まれる部分の厚みだけが薄くなっていてもよい。
【００２１】
図３に示されるように、小袋３，３は、その開口部３ａ，３ａ近傍の外面が袋本体２のファスナー部４よりも内方の内面にある固定部５（固定手段）において固定されている。そのため、ファスナー部４が開封されても該小袋３，３が袋本体２から脱落することを防ぐことができる。本実施例の固定部５は、シーラ等の器具により熱溶着された部分を指す。尚、本実施例では、２つの小袋３，３が接合部４１側に固定部５により固定された態様について説明したが、これに限られず、接合部４２側に固定されてもよいし、接合部４１，４２側にそれぞれ固定されてもよい。さらに尚、固定部５は、例えば、接着剤であってもよい。
【００２２】
次いで、容器１における食材の分割収容の方法について説明する。図４に示されるように、先ず、小袋３，３の収容部３ｂ，３ｂに各食材を投入する（片側のみ図示）。小袋３，３の収容部３ｂ，３ｂに食材を投入する際には、小袋３，３の開口部３ａ，３ａが上方向を向くように袋本体２の接合部４１側を外側に折り返すことで食材を容易に投入することができる。
【００２３】
次いで、図５（ａ）に示されるように、袋本体２の収容部２ｂに食材を投入する。このときには、収容部３ｂ，３ｂが袋本体２の開口側端縁を跨ぐように小袋３，３を外側（接合部４１側）に折り曲げておく。これにより、該食材の自重で収容部３ｂ，３ｂが垂れ下がり、折り曲げ部３ｃ，３ｃにおいて小袋３，３の接合部４１側と接合部４２側との内面同士が接触した状態となる。つまり、食材を投入した状態で小袋３，３の収容部３ｂ，３ｂを、袋本体２の開口側端縁を跨ぐように外側に折り曲げるだけで、小袋３，３の開口部３ａ，３ａが閉塞されるため、袋本体２の収容部２ｂに食材を投入する際に、当該食材が小袋３，３内に混入してしまうことがなく、食材同士の混合を確実に避けることができる。
【００２４】
図３に示されるように、袋本体２の収容部２ｂ及び小袋３，３の収容部３ｂ，３ｂに各食材を投入した後、袋本体２のファスナー部４によって、袋本体２の開口部２ａと小袋３，３の開口部３ａ，３ａを一括して閉塞することで、各食材が、袋本体２の収容部２ｂ及び小袋３，３の収容部３ｂ，３ｂに密閉状に分割収容された状態となる。
【００２５】
以上説明したように、容器１は、袋本体２と小袋３，３とから主に構成され、袋本体２の収容部２ｂと小袋３，３の収容部３ｂ，３ｂとにそれぞれ異なる食材を投入できるので、各食材が分割収容された際に、食材同士の混合を確実に避けることができる。
【００２６】
尚、食材の分割収容の方法は、上記手順に限られず、先に袋本体２の収容部２ｂに食材を投入するようにしてもよい。この場合にも、該袋本体２の開口部２ａと小袋３，３の開口部３ａ，３ａは、向かい合うように配置されているので、袋本体２に投入する食材や食材に含まれる水分が小袋３，３の内部（収容部３ｂ，３ｂ）に付着することを防ぐことができる。袋本体２の収容部２ｂに食材を投入した後、前述したように小袋３，３の収容部３ｂ，３ｂに食材を投入することにより、食材同士の混合を確実に避けることができ、ファスナー部４を閉塞することにより分割収容することができる。
【００２７】
次いで、容器１における分割収容された食材の集合と混合の方法について説明する。図５（ａ）に示されるように、袋本体２の開口部２ａを閉塞しているファスナー部４を開封することで、小袋３，３の開口部３ａ，３ａが一括して開封されるようになっているため、収容部２ｂ及び収容部３ｂ，３ｂに分割収容された食材を容易に集合可能な状態とすることができる。この集合可能な状態にあっては、前述したように、袋本体２の収容部２ｂと小袋３，３の収容部３ｂ，３ｂとが折り曲げ部３ｃ，３ｃによって簡易的に分割された状態になっているので、小袋３，３の収容部３ｂ，３ｂから袋本体２の収容部２ｂに投入される食材の量や順番を調整することができる。
【００２８】
図５（ｂ）に示されるように、小袋３，３の収容部３ｂ，３ｂに収容されていた食材は、折り曲げ部３ｃ，３ｃを伸ばすように収容部３ｂ，３ｂを倒立させることで、小袋３，３を出て袋本体２の収容部２ｂに投入される。このとき、容器１は、複数の小袋３，３を有しているので、該複数の小袋３，３に分割収容された複数種類の食材（例えば塩昆布と鰹節）を袋本体２に投入する順番を適宜選択することができる。また、小袋３，３の開口部３ａ，３ａは、袋本体２の内部に配置されているので、小袋３，３内の食材が袋本体２の収容部２ｂに投入される際に、袋本体２の外にこぼれ出ることを防ぐことができる。このように、容器１は、収容部３ｂ，３ｂに収容された食材を過誤なく容易に袋本体２の収容部２ｂに集合させることができる。
【００２９】
袋本体２の収容部２ｂに食材を集合させた後、袋本体２の外面から手で揉み込むことで該食材を収容部２ｂ内で混合させることができる。また、混合の際に、ファスナー部４を再度閉塞させることで、混合されている食材が袋本体２から外にこぼれ出ることを防ぐことができるとともに、混合された食材を袋本体２の収容部２ｂで密封保存することができる。尚、これら食材の集合後にファスナー部４を閉塞させる場合、特に図示しないが、空の小袋３，３を袋本体２のファスナー部４よりも内方に折り込んだ状態で、ファスナー部４が袋本体２のみを閉塞することで、ファスナー部４本来の強力な凹凸嵌合力を発揮することができる。
【００３０】
また図１に示されるように、容器１の陳列状態では、小袋３，３が内側に入るように袋本体２を折り曲げることで、外部に露出した小袋３，３が破損することを防ぐとともに、小袋３，３が引っ張られてファスナー部４に力が加わり、該ファスナー部４の凹凸嵌合が損なわれてファスナー部４が誤開封されることを防ぐことができる。
【００３１】
尚、小袋３，３が内側に入るように袋本体２を折り曲げる前に、小袋３，３を折り曲げた状態で袋本体２と該小袋３，３の外面同士をテープ等で仮止めして、袋本体２に対して該小袋３，３が動かないように仮固定することで、前述したようなファスナー部４の誤開封を確実に防ぐようにしてもよい。
【００３２】
また、前記実施例の容器１は、小袋３，３を内側に巻き込むように袋本体２を折り曲げ、図示しないテープ等で仮止めされた状態で陳列されていたが、これに限られず、例えば、袋本体２の開口部２ａから出ている小袋３，３を商品名等が印刷された厚紙で挟み、該厚紙の端部を袋本体２と固定手段で固定することで商品陳列棚に陳列してもよい。この場合、厚紙に孔を設け、商品陳列棚のフック等に吊るすことで、容器１の上下方向を規定して陳列することが可能となる。
【００３３】
また、前記実施例の容器１は、小袋３，３の一部が袋本体２の内面にある固定部５により固定されていたが、小袋３，３は、開口部３ａ，３ａが上方を向くように、袋本体２の外面にある固定部５により固定されてもよい。この場合にも、各食材の収容作業時において、小袋３，３の開口部３ａ，３ａ側を外側あるいは内側に折り曲げることにより、食材（例えばピーマン）の水分が小袋３，３内に入り込まないようにすることができる。
【００３４】
また、前記実施例の容器１は、小袋３，３の開口部３ａ，３ａが、袋本体２の開口部２ａと向かい合い、小袋３，３の収容部３ｂ，３ｂは、袋本体２の内部からファスナー部４を跨いで外側に露出するように配置されていたが、袋本体２の開口部２ａと小袋３，３の開口部３ａ，３ａとが上方を向いており、小袋３，３の収容部３ｂ，３ｂは、袋本体２の内部から外側に露出しないように袋本体２の内面にある固定部５により固定されてもよい。
【００３５】
以上、本発明の実施例を図面により説明してきたが、具体的な構成はこれら実施例に限られるものではなく、本発明の要旨を逸脱しない範囲における変更や追加があっても本発明に含まれる。
【００３６】
例えば、前記実施例では、袋本体２の収容部２ｂ及び小袋３，３の収容部３ｂ，３ｂに収容される内容物をピーマンや鰹節等の食材として説明したが、これに限られず、例えば、内服薬や調味料等であっても構わない。
【００３７】
また例えば、前記実施例では、容器１の袋本体２及び小袋３，３が非通水性及び非通気性を備えた合成樹脂材から成っているが、収容する食材等の性質・鮮度を満足するように、袋本体２及び小袋３，３の少なくとも一袋が微小孔を有し通気性を備えていてもよい。
【符号の説明】
【００３８】
１                容器
２                袋本体
２ａ              袋本体の開口部
２ｂ              袋本体の収容部
３                小袋
３ａ              小袋の開口部
３ｂ              小袋の収容部
３ｃ              折り曲げ部
４                ファスナー部
４１              接合部
４２              接合部
５                固定部
【図１】
2017007688.tif 000003
【図２】
2017007688.tif 000004
【図３】
2017007688.tif 000005
【図４】
2017007688.tif 000006
【図５】
2017007688.tif 000007